(57)【要約】【課題】通気性を有する生地からなるマスク本体部と、該マスク本体部の両側部に取り付けられた伸縮性紐からなる耳掛け部とを備えたマスクを、耳を圧迫することなく装着することできるマスク用装着補助具を提供する。【解決手段】通気性を有する生地からなるマスク本体部と、該マスク本体部の両側部に取り付けられた伸縮性紐からなる耳掛け部とを備えたマスクに着脱自在に取り付けられる装着補助具において、帯状に形成された補助具本体部の右左両端部に配設され、耳掛け部に摺動自在に連結される連結部と、該補助具本体部の長手方向寸法を調整する位置調整手段とを備えた。【選択図】図２
2011004910.tif 000002
【特許請求の範囲】
【請求項１】
通気性を有する生地からなるマスク本体部と、該マスク本体部の両側部に取り付けられた伸縮性紐からなる耳掛け部とを備えたマスクに着脱自在に取り付けられる装着補助具であって、
帯状に形成された補助具本体部の右左両端部に配設され、前記耳掛け部に摺動自在に連結される連結部と、
該補助具本体部の長手方向寸法を調整する位置調整手段と
を備えていることを特徴とするマスク用装着補助具。
【請求項２】
前記連結部は、前記補助具本体部の先端に配された雄ボタンと、該雄ボタンより基端に配された雌ボタンとを有し、かつ、
前記補助具本体部の先端が前記耳掛け部の環内を通過して折り返され、前記雄ボタンが前記雌ボタンに係合されることにより、前記連結部と前記耳掛け部とが摺動自在に連結される請求項１に記載のマスク用装着補助具。
【請求項３】
前記連結部が折り返される際に形成される折返線は、前記補助具本体部の長手方向に対して傾いている請求項２に記載のマスク用装着補助具。
【請求項４】
前記連結部の短手方向寸法は、前記補助具本体部の他の部位よりも大きくなっている請求項１または２に記載のマスク用装着補助具。
【請求項５】
前記補助具本体部は、左側の前記連結部を有する左補助具本体部と、右側の前記連結部を有する右補助具本体部とから構成され、
前記位置調整手段は、前記左補助具本体部の基部の一面上に長手方向に沿って配された雄面ファスナと、前記右補助具本体部の基部の前記雄面ファスナと対向する面上に長手方向に沿って配された雌面ファスナとからなり、かつ、
前記雄面ファスナと前記雌面ファスナとは、互いの当接面で着脱可能に係合される請求項１ないし４のいずれかに記載のマスク用装着補助具。
【請求項６】
前記連結部および前記位置調整手段は、前記補助具本体部の両端に配された雌面ファスナと、該雌面ファスナの各基端側に前記補助具本体部の長手方向に沿って配された雄面ファスナとからなり、かつ、
前記補助具本体部の両端が、それぞれ右左の前記耳掛け部の環内に通されるとともに、前記雌面ファスナが前記雄面ファスナの一部に着脱可能に係合されることにより、前記連結部と前記耳掛け部とが摺動自在に連結される請求項１に記載のマスク用装着補助具。
【請求項７】
前記雌面ファスナおよび前記雄面ファスナが配されていない前記補助具本体部の中央部は、前記雌面ファスナおよび前記雄面ファスナが配されている部位より伸縮性が高い素材で形成されている請求項６に記載のマスク用装着補助具。
【請求項８】
前記雌面ファスナおよび前記雄面ファスナが配されていない前記補助具本体部の中央部の短手方向寸法は、前記補助具本体部の他の部位よりも大きくなっている請求項６または７に記載のマスク用装着補助具。
【発明の詳細な説明】
【技術分野】
【０００１】
本発明は、市販されている一般的なマスク（衛生マスク）に取付可能なマスク用装着補助具に関し、より詳細には、耳掛けゴム（紐）などによる圧迫感を受けることなく、マスクを装着できるようにしたマスク用装着補助具に関する。
【背景技術】
【０００２】
近年、新型インフルエンザウィルス（Ｈ１Ｎ１亜型、Ｈ５Ｎ１型（高病原性鳥インフルエンザウィルス）、ＳＡＲＳ（重症急性呼吸器症候群ＳＡＲＳ）など）の世界的流行、大気汚染の進行、スギ花粉やヒノキ花粉などの大量発生などにより、大気中に浮遊する有害物質や汚染物質の量が増大傾向にある。そのため、これらの浮遊物質が呼吸を介して人体の気管支へ侵入することを防ぐことを目的として、マスクを装着する重要性が高まっている。
【０００３】
今日では、多種多様なマスクが市販されているが、その中でも、通気性を有するシート（生地）を所定の形状に裁断してマスク本体を形成し、その両側部に環状の耳掛け用のゴム（紐）などを取り付けたものが広く利用されている。
【０００４】
図１は、一般的に市販されている上述したようなマスクを装着した状態を示す側面図である。同図に示すように、この種のマスク１は、通気性を有する生地からなるマスク本体部２と、該マスク本体部２の両側部に取り付けられたゴム製の耳掛け部３とを備えている。そして、装着時には、マスク本体部２によって装着者Ｈの口および鼻を被覆した状態で、耳掛け部３を装着者Ｈの右左の耳に掛けることにより、マスク１が所定の装着位置で固定されるようになっている。
【０００５】
ところが、このようなマスク１では、耳掛け部３の強度を確保するために、ある程度の太さと伸縮性とを有したゴムが耳掛け部３の素材として適用されているので、マスク本体部２を口や鼻に押圧する収縮力が強めに設定されていた。したがって、このようなゴムからなる耳掛け部３を介してマスク１を長時間にわたって装着した場合、この耳掛け部３によって耳が圧迫されることにより痛みを生じ、人によってはこの部位周辺の血行が悪化して頭痛を引き起こすことがあった。
【０００６】
そこで、このような従来のマスクの欠点を解消できるように改良されたマスクが、例えば特許文献１に開示されている。同特許文献１のマスクでは、マスク本体に取り付けられた装着紐は、耳に掛けて頭の後ろに回す形態であり、この装着紐の耳に掛ける部位には緩衝用の耳当てパッドが配設され、これにより、耳が痛くなるのを防止しつつ、マスクを安定性よく装着できるようにしている。
【先行技術文献】
【特許文献】
【０００７】
【特許文献１】特開２００５−１８５３８１号公報
【発明の概要】
【発明が解決しようとする課題】
【０００８】
しかしながら、特許文献１に開示されるようなマスクでは、装着紐が耳当てパッドを介して耳に当接しているとはいえ、装着の安定性を考慮すると装着紐による耳への圧迫を避けることはできず、装着時の耳の痛みを十分に解消できるものではなかった。
【０００９】
また、特許文献１のマスクでは、安定した装着を可能にするために、マスク本体がそれ自体の形態を保持できる程度の形状安定性を有している必要があるため、上述したような一般的に広く利用されている市販マスクに較べると、コストが高くなってしまうという問題があった。そのため、マスク利用者の間では、低価格で市販されている一般的なマスクを耳の痛みを伴うことなく装着可能な手段が求められていた。
【００１０】
本発明は、上記事情に鑑みてなされたものであり、その目的とするところは、通気性を有する生地からなるマスク本体部と、該マスク本体部の両側部に取り付けられた伸縮性紐からなる耳掛け部とを備えたマスクを、耳を圧迫することなく装着することできるマスク用装着補助具を提供することにある。
【課題を解決するための手段】
【００１１】
本発明の上記目的は、通気性を有する生地からなるマスク本体部と、該マスク本体部の両側部に取り付けられた伸縮性紐からなる耳掛け部とを備えたマスクに着脱自在に取り付けられる装着補助具であって、帯状に形成された補助具本体部の右左両端部に配設され、前記耳掛け部に摺動自在に連結される連結部と、該補助具本体部の長手方向寸法を調整する位置調整手段とを備えているマスク用装着補助具により、達成される。
【００１２】
また、上記目的は、前記連結部が、前記補助具本体部の先端に配された雄ボタンと、該雄ボタンより基端に配された雌ボタンとを有し、かつ、前記補助具本体部の先端が前記耳掛け部の環内を通過して折り返され、前記雄ボタンが前記雌ボタンに係合されることにより、前記連結部と前記耳掛け部とが摺動自在に連結されることにより、効果的に達成される。
【００１３】
また、上記目的は、前記連結部が折り返される際に形成される折返線が、前記補助具本体部の長手方向に対して傾いていることにより、効果的に達成される。
【００１４】
また、上記目的は、前記連結部の短手方向寸法が、前記補助具本体部の他の部位よりも大きくなっていることにより、効果的に達成される。
【００１５】
また、上記目的は、前記補助具本体部が、左側の前記連結部を有する左補助具本体部と、右側の前記連結部を有する右補助具本体部とから構成され、前記位置調整手段が、前記左補助具本体部の基部の一面上に長手方向に沿って配された雄面ファスナと、前記右補助具本体部の基部の前記雄面ファスナと対向する面上に長手方向に沿って配された雌面ファスナとからなり、かつ、前記雄面ファスナと前記雌面ファスナとが、互いの当接面で着脱可能に係合されることにより、効果的に達成される。
【００１６】
また、上記目的は、前記連結部および前記位置調整手段が、前記補助具本体部の両端に配された雌面ファスナと、該雌面ファスナの各基端側に前記補助具本体部の長手方向に沿って配された雄面ファスナとからなり、かつ、前記補助具本体部の両端が、それぞれ右左の前記耳掛け部の環内に通されるとともに、前記雌面ファスナが前記雌面ファスナの一部に着脱可能に係合されることにより、前記連結部と前記耳掛け部とが摺動自在に連結されることにより、効果的に達成される。
【００１７】
また、上記目的は、前記雌面ファスナおよび前記雄面ファスナが配されていない前記補助具本体部の中央部が、前記雌面ファスナおよび前記雄面ファスナが配されている部位より伸縮性が高い素材で形成されていることにより、効果的に達成される。
【００１８】
さらに、上記目的は、前記雌面ファスナおよび前記雄面ファスナが配されていない前記補助具本体部の中央部の短手方向寸法が、前記補助具本体部の他の部位よりも大きくなっていることにより、効果的に達成される。
【発明の効果】
【００１９】
本発明に係るマスク用装着補助具によれば、帯状の装着本体部の両端部に一般的なマスクの耳掛け部に着脱可能に取り付けられる連結部が設けられ、該連結部を介して右左の耳掛け部と摺動自在に連結されるようになっている。これにより、耳掛け部が装着者の耳を圧迫しないようにマスクを固定することが可能となり、その結果、装着者は不快感を生じることなく長時間にわたってマスクを装着することができる。
【００２０】
また、本発明に係るマスク用装着補助具は、帯状の装着本体部の長手方向寸法を調整可能な位置調整手段を備えている。これにより、マスク本体部が口や鼻に押圧される力を装着者の頭部形状などに応じて適宜変更することができるとともに、耳掛け部の引き出し方向を装着者の好み（快適な装着感）に応じて適宜変更することができる。
【００２１】
さらに、本発明に係るマスク用装着補助具は、一般的に広く利用されている略全てのマスクに適用可能な優れた汎用性を有し、かつ、簡素な構造であることから低コストで製造することができる。
【図面の簡単な説明】
【００２２】
【図１】従来の一般的なマスクの装着状態を示す側面図である。
【図２】本発明の第１実施形態に係るマスク用装着補助具をマスクの耳掛け部に連結させた状態を示す正面図である。
【図３】本発明の第１実施形態に係るマスク用装着補助具を示す上面図（ａ）および分解正面図（ｂ）である。
【図４】本発明の第１実施形態に係るマスク用装着補助具の位置調整手段の変形例を示す各正面図である。
【図５】本発明の第１実施形態に係るマスク用装着補助具の使用例を示す側面図（ａ）および背面図（ｂ）である。
【図６】本発明の第１実施形態に係るマスク用装着補助具の使用変形例を示す側面図である。
【図７】本発明の第２実施形態に係るマスク用装着補助具を示す分解正面図である。
【図８】本発明の第２実施形態に係るマスク用装着補助具の使用例を示す側面図（ａ）および背面図（ｂ）である。
【図９】本発明の第３実施形態に係るマスク用装着補助具を示す上面図（ａ）および分解正面図（ｂ）である。
【図１０】本発明の第３実施形態に係るマスク用装着補助具の使用例を示す側面図（ａ）および背面図（ｂ）である。
【図１１】本発明の第４実施形態に係るマスク用装着補助具を示す上面図（ａ）および正面図（ｂ）である。
【図１２】本発明の第４実施形態に係るマスク用装着補助具の使用例を示す側面図（ａ）および背面図（ｂ）である。
【図１３】本発明の第５実施形態に係るマスク用装着補助具を示す上面図（ａ）および正面図（ｂ）である。
【図１４】本発明の第５実施形態に係るマスク用装着補助具の使用例を示す側面図（ａ）および背面図（ｂ）である。
【発明を実施するための形態】
【００２３】
以下、図面を参照にしながら本発明の実施形態について説明する。
【００２４】
［第１実施形態］
図２は、本発明の第１実施形態に係るマスク用装着補助具をマスクの耳掛け部に連結させた状態を示す正面図であり、図３は、本発明の第１実施形態に係るマスク用装着補助具を示す上面図（ａ）および分解正面図（ｂ）である。
【００２５】
図２に示すように、本実施形態に係るマスク用装着補助具１０は、通気性を有する生地からなるマスク本体部２と、該マスク本体部２の両側部に取り付けられた環状の伸縮性紐（ゴム紐）からなる耳掛け部３ａ，３ｂとを備えた一般的なマスク１に着脱可能に取り付けられるものであり、帯状に形成された補助具本体部１１の右左両端部には、耳掛け部３と摺動自在に連結される連結部１２ａ，１２ｂが配設されている。
【００２６】
図３に示すように、連結部１２ａ，１２ｂは、補助具本体部１１の左右先端に配された雄ボタン１３ａ，１３ｂと、該雄ボタン１３ａ，１３ｂより基端側の同一面上に配された雌ボタン１４ａ，１４ｂとを有している。この連結部１２ａ，１２ｂがマスク１に取り付けられる際には、補助具本体部１１の左右先端がマスク１の左右耳掛け部３ａ，３ｂの環内を通過して折り返され、各雄ボタン１３ａ，１３ｂが雌ボタン１４ａ，１４ｂに係合される。これにより、この左右連結部１２ａ，１２ｂを介して、マスク用装着補助具１０がマスク１の左右耳掛け部３ａ，３ｂに摺動自在に連結されるので、上下の締め付けバランスを適宜調整することが可能となる。
【００２７】
また、連結部１２ａ，１２ｂが折り返される際に形成される折返線１５ａ，１５ｂは、補助具本体部１１の長手方向に対して約４５°傾いている。これにより、図２に示すように、連結された耳掛け部３ａ，３ｂの折れ部が鋭角となるため、調整終了後は耳掛け部３ａ，３ｂの緊締力により所望の位置でロックすることができる。なお、本実施形態では、各連結部１２ａ，１２ｂに雄ボタン１３ａ，１３ｂと雌ボタン１４ａ，１４ｂとからなる１対の係合ボタンを配設したが、本発明はこれに限定されず、例えば各連結部１２ａ，１２ｂに折返線１５ａ，１５ｂに沿って２対以上の係合ボタンを配してもよい。また、雄ボタン１３ａ，１３ｂと雌ボタン１４ａ，１４ｂとが逆の位置関係で配されていても、同様の作用効果を得られることは言うまでもない。
【００２８】
補助具本体部１１は、左側の連結部１２ａを有する左補助具本体部１１ａと、右側の連結部１２ｂを有する右補助具本体部１１ｂとから構成されている。この補助具本体部１１の素材には、伸縮性や緩衝性（クッション性）に優れているものが適用され、例えば発泡ウレタン、クロロプレンゴム（ＣＲ）スポンジ、ウェットスーツに使用されるような発泡ゴムに布素材を張り合わせた部材、あるいはストレッチ素材である布全般などが好ましい。左補助具本体部１１ａは、基部の一面上に長手方向に沿って配された雄面ファスナ１６ａを有し、一方、右補助具本体部１１ｂは、基部の雄面ファスナ１６ａと対向する面上に長手方向に沿って配された雌面ファスナ１６ｂを有している。この雄面ファスナ１６ａと雌面ファスナ１６ｂとは、互いの当接面で着脱可能に係合され、これにより、左補助具本体部１１ａと右補助具本体部１１ｂとが結合される。また、雄面ファスナ１６ａと雌面ファスナ１６ｂは、互いの取付位相を任意に調整することが可能な構造であり、補助具本体部１１の長手方向の寸法を適宜調整可能な位置調整手段１６として構成されている。
【００２９】
なお、この位置調整手段１６を構成する雄面ファスナ１６ａと雌面ファスナ１６ｂは、互いに逆の位置関係で配されていても、同様の作用効果を得られることは言うまでもなく、面ファスナの材料費を削減のために、いずれか一方の面ファスナの長手方向寸法が、他方の面ファスナより小さく設定されていてもよい。また、この位置調整手段１６は、これに限定されるものではなく、例えば図４に示す変形例のような形態であっても良い。
【００３０】
図４は、本発明の第１実施形態に係るマスク用装着補助具の位置調整手段の変形例を示す各正面図である。なお、同図において、上述した実施形態と同一の部材には同一の符号を付して、その説明を省略する。
【００３１】
図４（ａ）に示すマスク用装着補助具１０Ａでは、左補助具本体部１１Ａａの基端にリング部材１７が回動自在に取り付けられ、一方、該リング部材１７の環内を通過して折り返された右補助具本体部１１Ａｂの基端側先端部には雄面ファスナ１６Ａａが配設されるとともに、折り返されない部分の雄面ファスナ１６Ａａと対向する面上には雌面ファスナ１６Ａｂが配設されている。そして、右補助具本体部１１Ａｂの基端側先端部が任意の位置で折り返され、雄面ファスナ１６Ａａと雌面ファスナ１６Ａｂとが接合されることにより、補助具本体部１１Ａの長手方向の寸法を調整できるようになっている。このような雄面ファスナ１６Ａａと雌面ファスナ１６Ａｂとからなる位置調整手段１６Ａであっても、上述した実施形態の位置調整手段１６と同様の作用効果を得ることができる。
【００３２】
また、図４（ｂ）に示すマスク用装着補助具１０Ｂでは、左補助具本体部１１Ｂａの基端部に複数の係合孔１８ａが所定の間隔毎に穿設され、一方、右補助具本体部１１Ｂａの基端部には係合孔１８ａに嵌合可能な複数の係合突起１８ｂが所定の間隔毎に立設されている。そして、左補助具本体部１１Ｂａの基端部と右補助具本体部１１Ｂａの基端部とが重なり合う部分において、係合突起１８ｂが係合孔１８ａに嵌合されることにより、補助具本体部１１Ｂの長手方向の寸法を調整して固定できるようになっている。このような複数の係合孔１８ａと複数の係合突起１８ｂとからなる位置調整手段１６Ｂであっても、上述した実施形態の位置調整手段１６と同様の作用効果を得ることができる。
【００３３】
さらに、図４（ｃ）に示すマスク用装着補助具１０Ｃでは、左補助具本体部１１Ｃａの基端部に複数のベルト孔１９ａが所定の間隔毎に穿設され、一方、右補助具本体部１１Ｃａの基端には、ベルト孔１９ａに挿通される係止ピンを有するベルト係止具１９ｂが回動自在に取り付けられている。このようなベルト式の位置調整手段１６Ｃであっても、上述した実施形態の位置調整手段１６と同様の作用効果を得ることができる。
【００３４】
図５は、本発明の第１実施形態に係るマスク用装着補助具の使用例を示す側面図（ａ）および背面図（ｂ）である。
【００３５】
本実施形態に係るマスク用装着補助具１０を使用する際には、まず、左連結部１２ａおよび右連結部１２ｂの各先端部を、それぞれマスク１の左耳掛け部３ａおよび右耳掛け部３ｂの環内を通過させて折返線１５ａ，１５ｂに沿って折り返し、各雄ボタン１３ａ，１３ｂを各雌ボタン１４ａ，１４ｂに係合させる。その後、左右の耳掛け部３ａ，３ｂに連結された左右の補助具本体部１１ａ，１１ｂを装着者Ｈの後頭部下側（首上部）に回し、適度な緊締力になる位置で雄面ファスナ１６ａと雌面ファスナ１６ｂとを接合する。これにより、マスク１は、耳掛け部３ａ，３ｂが装着者Ｈの耳にかかることなく装着者Ｈの口および鼻を被覆した状態で固定される。この結果、装着者Ｈは、マスク１を耳に掛けた際に生じる不快感から完全に解放され、かつ、耳掛け部３ａ，３ｂの緊締力が生じる当接面が大きくなることにより、圧迫感が軽減されてマスク１を長時間に亘って装着することが可能となる。
【００３６】
図６は、本発明の第１実施形態に係るマスク用装着補助具の使用変形例を示す各側面図である。
【００３７】
図６（ａ）に示す使用変形例では、マスク１の左右耳掛け部３ａ，３ｂに連結されたマスク用装着補助具１０が、装着者Ｈの後頭部中央付近で固定されている。この場合、装着者Ｈの耳上部が左右耳掛け部３ａ，３ｂに若干接するが、図１に示したようにマスク１を通常に装着した場合に較べれば、その当接面積は非常に小さい。したがって、この使用変形例のようにマスク１を装着した場合であっても、上述した使用例と同様の効果を得ることができる。
【００３８】
図６（ｂ）に示す使用変形例では、マスク１の左右耳掛け部３ａ，３ｂに連結されたマスク用装着補助具１０が、装着者Ｈの後頭部上側で固定されている。この場合、装着者Ｈの耳が左右耳掛け部３ａ，３ｂに接することなく、マスク１を装着することができるので、上述した使用例と同様の効果を得ることができる。
【００３９】
図６（ｃ）に示す使用変形例では、マスク１の左右耳掛け部３ａ，３ｂに２つのマスク用装着補助具１０，１０が連結され、この２つのマスク用装着補助具１０，１０は、それぞれ装着者Ｈの後頭部上側および後頭部下側で固定されている。この場合、左右耳掛け部３ａ，３ｂが装着者Ｈの耳に接することなくマスク１を装着することができるのはもとより、マスク本体部２のフィット感が向上するので、より安定した装着を実現することができる。
【００４０】
［第２実施形態］
図７は、本発明の第２実施形態に係るマスク用装着補助具を示す分解正面図であり、図８は、本発明の第２実施形態に係るマスク用装着補助具の使用例を示す側面図（ａ）および背面図（ｂ）である。なお、これらの図において、上述した実施形態と同一の部材には同一の符号を付して、その説明を省略する。
【００４１】
図７に示すように、本発明の第２実施形態に係るマスク用装着補助具１０Ｄでは、左右の補助具本体部１１ａ，１１ｂの各先端部に設けられた連結部１２Ｄａ，１２Ｄｂが二股に拡がるように分かれて形成され、この二股の各先端および各基端には、それぞれ雄ボタン１３ａ，１３ｂおよび雌ボタン１４ａ，１４ｂが配設されている。そして、この連結部１２Ｄａ，１２Ｄｂがマスク１に取り付けられる際には、各先端がマスク１の左右耳掛け部３ａ，３ｂの環内を通過して折り返され、雄ボタン１３ａ，１３ｂが雌ボタン１４ａ，１４ｂに係合される。これにより、マスク用装着補助具１０Ｄは、マスク１の左右耳掛け部３ａ，３ｂに摺動自在に連結される。
【００４２】
以上のように、本実施形態に係るマスク用装着補助具１０Ｄによれば、上述した第１実施形態と同様の作用効果が得られることはもとより、連結部１２Ｄａ，１２Ｄｂが二股に拡がるように分かれて形成されることによって、この連結部１２Ｄａ，１２Ｄｂの短手方向寸法が補助具本体部１１の他の部位よりも大きく形成されているので、図８に示すように、耳掛け部３ａ，３ｂを装着安定感の高い方向に引き出して固定しても、耳掛け部３ａ，３ｂが耳に掛かることなくマスク１を装着することができる。
【００４３】
［第３実施形態］
図９は、本発明の第３実施形態に係るマスク用装着補助具を示す上面図（ａ）および分解正面図（ｂ）であり、図１０は、本発明の第３実施形態に係るマスク用装着補助具の使用例を示す側面図（ａ）および背面図（ｂ）である。なお、これらの図において、上述した実施形態と同一の部材には同一の符号を付して、その説明を省略する。
【００４４】
図９に示すように、本発明の第３実施形態に係るマスク用装着補助具１０Ｅでは、左右の補助具本体部１１ａ，１１ｂの各先端部に設けられた連結部１２Ｅａ，１２Ｅｂの短手方向の寸法が補助具本体部１１の他の部位よりも大きく、かつこれに連結された耳掛け部３ａ，３ｂと接する折返し部がその形状に合わせて湾曲に形成されている。また、補助具本体部１１の左右先端には雄ボタン１３ａ，１３ｂが配され、かつ該雄ボタン１３ａ，１３ｂより基端側の同一面上には、これと係合する雌ボタン１４ａ，１４ｂが配設されている。
【００４５】
このような構成からなる連結部１２Ｅａ，１２Ｅｂを備えた本実施形態に係るマスク用装着補助具１０Ｅによれば、上述した実施形態と同様の作用効果が得られることはもとより、連結部１２Ｅａ，１２Ｅｂの折返し部が湾曲に形成されているので、この連結部１２Ｅａ，１２Ｅｂに連結された耳掛け部３ａ，３ｂを円滑に摺動させることができる。この結果、高い装着安定感を維持しつつ、上下の締め付けバランスの微調整をスムーズに行うことが可能である。
【００４６】
［第４実施形態］
図１１は、本発明の第４実施形態に係るマスク用装着補助具を示す上面図（ａ）および正面図（ｂ）であり、図１２は、本発明の第４実施形態に係るマスク用装着補助具の使用例を示す側面図（ａ）および背面図（ｂ）である。なお、これらの図において、上述した実施形態と同一の部材には同一の符号を付して、その説明を省略する。
【００４７】
図１１に示すように、本実施形態に係るマスク用装着補助具１０Ｆでは、上述した実施形態と同様、補助具本体部１１Ｆが伸縮性や緩衝性に優れた素材から形成され、その左右両端部には、上述した実施形態における位置調整手段１６の機能を兼ね備えた連結部１２Ｆａ，１２Ｆｂが、接着または縫着によって固設されている。この連結部１２Ｆａ，１２Ｆｂを構成する素材には、補助具本体部１１Ｆの素材に対して、伸縮性が低く、かつ可撓性が高い薄い布地などが適用される。
【００４８】
この左右の連結部１２Ｆａ，１２Ｆｂは、各先端部に配された雌面ファスナ２０ａ，２０ｂと、該雌面ファスナ２０ａ，２０ｂの各基端側に補助具本体部１１Ｅの長手方向に沿って配された雄面ファスナ２１ａ，２１ｂとを有している。そして、連結部１２Ｆａ，１２Ｆｂの各先端が、それぞれ左右の耳掛け部３ａ，３ｂの環内に通されるとともに、雌面ファスナ２０ａ，２０ｂが雄面ファスナ２０ａ，２０ｂの所望の位置に接合されることにより、マスク１の耳掛け部３ａ，３ｂとマスク用装着補助具１０Ｆとが摺動自在に連結されるとともに、補助具本体部１１Ｆの長手方向寸法が所望の長さに調整されるようになっている。
【００４９】
このような連結部１２Ｆａ，１２Ｆｂを備えた本実施形態に係るマスク用装着補助具１０Ｆによれば、上述した実施形態と同様の作用効果が得られることはもとより、左右の連結部１２Ｆａ，１２Ｆｂによって、マスク１の耳掛け部３ａ，３ｂへの連結と、補助具本体部１１Ｆの長手方向寸法の調整とを同時に行うことができるので、装着作業をより簡素化することができる。
【００５０】
また、このマスク用装着補助具１０Ｆを使用する場合、図１２に示すように、マスク１の耳掛け部３ａ，３ｂをクロスさせてから、その環内に補助具本体部１１Ｆの左右先端を通して連結することにより、マスク１を装着した際のフィット感をさらに向上させることができる。
【００５１】
［第５実施形態］
図１３は、本発明の第５実施形態に係るマスク用装着補助具を示す上面図（ａ）および正面図（ｂ）であり、図１４は、本発明の第５実施形態に係るマスク用装着補助具の使用例を示す側面図（ａ）および背面図（ｂ）である。なお、これらの図において、上述した実施形態と同一の部材には同一の符号を付して、その説明を省略する。
【００５２】
図１３に示すように、本実施形態に係るマスク用装着補助具１０Ｇでは、上述した実施形態と同様、補助具本体部１１Ｇが伸縮性や緩衝性に優れた素材から形成され、その左右両端部には、上述した実施形態における位置調整手段１６の機能を兼ね備えた連結部１２Ｇａ，１２Ｇｂが設けられている。
【００５３】
この左右の連結部１２Ｇａ，１２Ｇｂは、上述した第４実施形態の連結部１２Ｆａ，１２Ｆｂと同様、各先端部に配された雌面ファスナ２０ａ，２０ｂと、該雌面ファスナ２０ａ，２０ｂの各基端側に補助具本体部１１Ｆの長手方向に沿って配された雄面ファスナ２１ａ，２１ｂとを有している。上述した第４実施形態では、補助具本体部１１Ｆの両端部に固設された別部材に雌面ファスナ２０ａ，２０ｂおよび雄面ファスナ２１ａ，２１ｂが取り付けられていたが、本実施形態では、第４実施形態の補助具本体部１１Ｆより薄く形成された補助具本体部１１Ｇの両端部に、雌面ファスナ２０ａ，２０ｂおよび雄面ファスナ２１ａ，２１ｂが直接取り付けられている。このように、補助具本体部１１Ｇを薄くすることにより、緩衝性が多少低下するものの、左右先端部を折り返すのに十分な可撓性をえることができるので、左右の連結部１２Ｇａ，１２Ｇｂを含めて１つのベース部材で構成することが可能である。
【００５４】
また、補助具本体部１１Ｇは、雌面ファスナ２０ａ，２０ｂおよび雄面ファスナ２１ａ，２１ｂが配されていない部位、すなわち中央部付近の短手方向寸法が、他の部位よりも大きく膨らんでいる。
【００５５】
以上のように構成された本実施形態に係るマスク用装着補助具１０Ｇによれば、上述した実施形態と同様の作用効果が得られることはもとより、図１４に示すように、装着した際に後頭部と当接する部位の面積が大きくなっているので、耳掛け部３ａ，３ｂの緊締力により生じる圧迫感をより効果的に軽減することができ、かつ、連結部１２Ｇａ，１２Ｇｂのベース部材が補助具本体部１１Ｇと同一の部材で構成されていることにより、製造工程が簡略化されるので、製造コストおよび労力の低減化を図ることができる。
【００５６】
以上、本発明の実施形態について具体的に説明してきたが、本発明はこれに限定されるものではなく、その趣旨を逸脱しない範囲で適宜変更可能である。
【符号の説明】
【００５７】
１・・・マスク
２・・・マスク本体部
３・・・耳掛け部
１０・・・マスク用装着補助具
１１・・・補助具本体部
１１ａ・・・左補助具本体部
１１ｂ・・・右補助具本体部
１２・・・連結部
１２ａ・・・左連結部
１２ｂ・・・右連結部
１３ａ，１３ｂ・・・雄ボタン
１４ａ，１４ｂ・・・雌ボタン
１５ａ，１５ｂ・・・折返線
１６・・・位置調整手段
１６ａ・・・雄面ファスナ
１６ｂ・・・雌面ファスナ
２０ａ，２０ｂ・・・雌面ファスナ
２１ａ，２１ｂ・・・雄面ファスナ
Ｈ・・・装着者
【図１】
2011004910.tif 000003
【図２】
2011004910.tif 000004
【図３】
2011004910.tif 000005
【図４】
2011004910.tif 000006
【図５】
2011004910.tif 000007
【図６】
2011004910.tif 000008
【図７】
2011004910.tif 000009
【図８】
2011004910.tif 000010
【図９】
2011004910.tif 000011
【図１０】
2011004910.tif 000012
【図１１】
2011004910.tif 000013
【図１２】
2011004910.tif 000014
【図１３】
2011004910.tif 000015
【図１４】
2011004910.tif 000016